(57)【要約】【課題】皮膚への刺激が小さく、比重が１より小さく、平滑で非吸収性の描画面に自在に描画でき、しかも上記描画面上の描線は水によって拭き取って消去できるが、湯気や水滴によっては描画面上で流れ難い固形描画材組成物を提供する。【解決手段】本発明によれば、着色顔料、体質顔料、ワックス、中空樹脂球及びノニオン界面活性剤を含む固形描画材組成物であって、上記ワックスは５５℃以上の融点を有し、その６０重量％以上が分子中にカルボニル基を有し、上記ノニオン界面活性剤が７．０〜１０．０の範囲のＨＬＢ値を有し、上記ノニオン界面活性剤を３０〜６０重量％の範囲で含むと共に、上記ノニオン界面活性剤の７０〜１００重量％がポリオキシエチレンヒマシ油エーテルとポリオキシエチレン硬化ヒマシ油エーテルから選ばれる少なくとも１種であり、上記中空樹脂球を１．０〜５．０重量％の範囲で含み、比重が１よりも小さい固形描画材組成物が提供される。【選択図】なし【特許請求の範囲】
【請求項１】
着色顔料、体質顔料、ワックス、中空樹脂球及びノニオン界面活性剤を含む固形描画材組成物であって、上記ワックスは５５℃以上の融点を有するものであって、その６０重量％以上が分子中にカルボニル基を有するものであり、上記ノニオン界面活性剤が７．０〜１０．０の範囲のＨＬＢ値を有し、上記ノニオン界面活性剤を３０〜６０重量％の範囲で含むと共に、上記ノニオン界面活性剤のうちの７０〜１００重量％がポリオキシエチレンヒマシ油エーテル及びポリオキシエチレン硬化ヒマシ油エーテルから選ばれる少なくとも１種であり、上記中空樹脂球を１．０〜５．０重量％の範囲で含み、比重が１よりも小さいことを特徴とする固形描画材組成物。
【請求項２】
前記ワックスが蜜蝋、ケトンワックス、パーム油及びヒマシ硬化油よりなる群から選ばれる少なくとも１種である請求項１に記載の固形描画材組成物。
【請求項３】
前記中空樹脂球が２０〜７０μｍの範囲の平均粒子径と０．０３〜０．０７ｇ／ｃｍ3 の範囲の真比重を有するものである請求項１に記載の固形描画材組成物。
【請求項４】
前記ワックスを２０〜５０重量％の範囲で含む請求項１に記載の固形描画材組成物。
【請求項５】
前記ノニオン界面活性剤が０〜３０重量％のポリオキシエチレングリセリン脂肪酸エステルを含む請求項１に記載の固形描画材組成物。
【請求項６】
更にオイルを含む請求項１〜５のいずれかに記載の固形描画材組成物。
【発明の詳細な説明】
【技術分野】
【０００１】
本発明は固形描画材組成物に関し、詳しくは、それ自体、皮膚に対する刺激が小さいと共に、比重が１よりも小さいので、水に浮き、よって、例えば、幼児や小児が入浴しつつ、又は水遊びしつつ、適宜の描画面、特に、プラスチック、ガラス、金属等からなる平滑で非吸収性の描画面に絵や文字を自在に描くことができ、しかも、このような描画面に描いた絵や文字（以下、描線という。）は水によって拭き取って消去することができるが、しかし、湯気や、湿気、水滴によっては描画面上で流れ難い、即ち、消え落ち難い固形描画材組成物に関する。
【背景技術】
【０００２】
プラスチック、ガラス、金属等からなる平滑で非吸収性の描画面に描画することができる固形描画材組成物は既に知られている。例えば、着色顔料、体質顔料、ワックス、微小中空粒子及びノニオン界面活性剤を含む固形描画材組成物が知られている（特許文献１参照）。
【０００３】
しかし、このように、平滑で非吸収性の描画面によく描画することができ、しかも、上記描画面に描いた描線が湯気や、湿気、水滴によっては描画面上で流れ難いが、しかし、その描画面上の描線は、水で拭いて容易に消去することができ、しかも、それ自体が水に浮き、従って、例えば、子供が入浴しつつ、又は水遊びしつつ、プラスチック、ガラス、金属等からなる平滑で非吸収性の描画面上によく描画することができ、必要に応じて、その描線を水で容易に消去することができる固形描画材組成物は未だ、知られていない。
【先行技術文献】
【特許文献】
【０００４】
【特許文献１】特開２００４−３１５６０２号公報
【発明の概要】
【発明が解決しようとする課題】
【０００５】
上述したように、プラスチック、ガラス、金属等からなる平滑な表面によく描画することができて、しかも、その描画面上の描線は、湯気や、湿気、水滴によっては流れ難いが、しかし、その描線は水で拭いて消去することができ、更に、それ自体が水に浮き、従って、例えば、子供が入浴しつつ、又は水遊びしつつ、上述したような平滑な描画面上に描画することができ、必要に応じて、その描画面上の描線を水にて容易に消去することができる固形描画材組成物を提供することを目的とする。
【課題を解決するための手段】
【０００６】
本発明による固形描画材組成物は、着色顔料、体質顔料、ワックス、中空樹脂球及びノニオン界面活性剤を含む固形描画材組成物であって、上記ワックスは５５℃以上の融点を有するものであって、その６０重量％以上が分子中にカルボニル基を有するものであり、上記ノニオン界面活性剤が７．０〜１０．０の範囲のＨＬＢ値を有し、上記ノニオン界面活性剤を３０〜６０重量％の範囲で含むと共に、上記ノニオン界面活性剤のうちの７０〜１００重量％がポリオキシエチレンヒマシ油エーテル及びポリオキシエチレン硬化ヒマシ油エーテルから選ばれる少なくとも１種であり、上記中空樹脂球を１．０〜５．０重量％の範囲で含み、比重が１よりも小さいことを特徴とする。
【０００７】
特に、本発明によれば、上記分子中にカルボニル基を有するワックスは、蜜蝋、ケトンワックス、パーム油及びヒマシ硬化油よりなる群から選ばれる少なくとも１種であることが好ましい。
【０００８】
また、上記中空樹脂球は、２０〜７０μｍの範囲の平均粒子径と０．０３〜０．０７ｇ／ｃｍ3 の範囲の真比重を有するものであることが好ましい。
【０００９】
本発明による固形描画材組成物は、上記ワックスを２０〜５０重量％の範囲で含むことが好ましい。
【００１０】
本発明による固形描画材組成物は、必要に応じて、上記ポリオキシエチレンヒマシ油エーテル及びポリオキシエチレン硬化ヒマシ油エーテルから選ばれる少なくとも１種以外のノニオン界面活性剤を０〜３０重量％の範囲で含んでいてもよい。この場合、上記ポリオキシエチレンヒマシ油エーテル及びポリオキシエチレン硬化ヒマシ油エーテルから選ばれる少なくとも１種以外のノニオン界面活性剤としては、例えば、ポリオキシエチレングリセリン脂肪酸エステルが好ましい。また、本発明による固形描画材組成物は、必要に応じて、オイルを含んでいてもよい。
【発明の効果】
【００１１】
本発明の固形描画材組成物によれば、プラスチック、ガラス、金属等からなる平滑で非吸収性の描画面によく描画することができ、しかも、その描画面上の描線は湯気や、湿気、水滴によっては描画面上で流れ難く、即ち、消え落ち難く、しかし、その描画面上の描線は水拭きして消去することができ、更に、それ自体が水に浮くことができる。従って、本発明の固形描画材組成物は、例えば、幼児や小児がこれを用いて、入浴しつつ、又は水遊びしつつ、上述したような描画面上によく描画することができ、また、必要に応じて、その描画面上の描線を水にて容易に消去することができる固形描画材組成物を提供することを目的とする。
【発明を実施するための形態】
【００１２】
本発明による固形描画材組成物は、着色顔料、体質顔料、ワックス、中空樹脂球及びノニオン界面活性剤を含む固形描画材組成物であって、上記ワックスは、５５℃以上の融点を有するものであって、その６０重量％以上が分子中にカルボニル基を有するものであり、上記ノニオン界面活性剤が７．０〜１０．０の範囲のＨＬＢ値を有し、上記ノニオン界面活性剤を３０〜６０重量％の範囲で含むと共に、上記ノニオン界面活性剤のうちの７０〜１００重量％がポリオキシエチレンヒマシ油エーテル及びポリオキシエチレン硬化ヒマシ油エーテルから選ばれる少なくとも１種であり、上記中空粒子を１．０〜５．０重量％の範囲で含み、比重が１よりも小さいことを特徴とする。
【００１３】
（着色顔料）
本発明による固形描画材組成物において、着色顔料は、描画面上に形成された描線を着色するためのものであって、従来、クレヨンやパス様の固形描画材組成物において着色剤として用いられているものであれば、いずれでも用いることができる。従って、本発明によれば、着色剤として、例えば、フタロシアニン、キナクリドン、カーボンブラック、酸化チタン、弁柄等の有機顔料や無機顔料が好ましく用いられる。これら顔料は、単独にて、又は２種以上を組み合わせて用いられる。
【００１４】
顔料の配合量は、その種類にもよるが、発色性や描画性等を考慮すれば、固形描画材組成物の重量に基づいて、通常、０．１〜２０重量％の範囲であり、好ましくは、１〜１０重量％の範囲である。顔料の配合量が固形描画材組成物の重量に基づいて、０．１重量％よりも少ないときは、着色力が弱く、実用的な濃度の描線を描くことが困難である。しかし、２０重量％よりも多くしても、描線の濃度がそれに見合って濃くなるものでもないので、通常、２０重量％までで十分である。
【００１５】
（体質顔料）
本発明による固形描画材組成物において、体質顔料は、描画面に描画するとき、固形描画材組成物の摩耗を促進して、描く際の感覚をよくすると共に、固形描画材組成物を崩れやすくし、描画の際に描画面への固形描画材組成物の接着量を多くして、描線の着色性を高める効果を有する。このような体質顔料としては、例えば、カオリン、炭酸カルシウム、炭酸マグネシウム、シリカ粉末等が好ましく用いられる。これら体質顔料は、固形描画材組成物の重量に基づいて、通常、１〜２５重量％の範囲、好ましくは、２〜１５重量％の範囲で用いられる。
【００１６】
（ワックス）
ワックスは、固形描画材組成物の有する種々の成分、即ち、着色顔料、体質顔料、中空樹脂球及びノニオン界面活性剤を一体にまとめると共に、描画面に描いた描線が描画面によく接着するように用いられる。
【００１７】
従って、本発明においては、ワックスは、固形描画材組成物の製造に際して、加熱時、例えば、６０〜１２０℃程度に加熱したときは溶融するが、常温乃至５０℃程度の温度では固体であると共に、その他の成分、特に、後述するノニオン界面活性剤と相溶性を有するものが好ましい。
【００１８】
よって、本発明においては、ワックスは、５５℃以上、好ましくは、６０℃以上の融点を有するものが用いられ、しかも、用いるワックスのうち、６０重量％以上、好ましくは、６５重量％以上、最も好ましくは、７０重量％以上は、分子中にカルボニル基を有するものである。
【００１９】
本発明者は、後述するノニオン界面活性剤に対する多数のワックスの相溶性を調べた結果、分子中にカルボニル基を有するワックスがそれらノニオン界面活性剤に対して望ましい相溶性を有することを見出し、なかでも、特に、蜜蝋、ケトンワックス、パーム油及びヒマシ硬化油よりなる群から選ばれる少なくとも１種が好ましいことを見出した。
【００２０】
本発明による固形描画材組成物は、その重量に基づいて、このように分子中にカルボニル基を有するワックスを２０〜５０重量％の範囲、好ましくは、２５〜４０重量％の範囲で含む。
【００２１】
このように分子中にカルボニル基を有するワックスであっても、固形描画材組成物におけるその含有量が５０重量％を超えるときは、固形描画材組成物として必要な着色性が得られないほか、描画面への描線の接着性が低下して、水濡れ面描画性や水拭き取り性が劣り、また、柔軟性が低下して、例えば、描画に際して折れやすくなる。反対に、固形描画材組成物におけるその含有量が２０重量％よりも少ないときは、ノニオン界面活性剤等のその他の成分を一体的にまとめることができず、また、実用上、必要な強度を有する固形描画材組成物を得ることができない。
【００２２】
（オイル）
オイルは、ワックスと協同して、固形描画材組成物に滑らかな描画性を与えるために、必要に応じて用いられる。従って、オイルは、透明であって、ワックスに溶解するものが好ましく用いられる。そのようなオイルの具体例として、例えば、流動パラフィン、ヤシ油、ヒマシ油等を例示することができる。これらのオイルは、単独で、又は２種以上を組み合わせて用いられる。
【００２３】
オイルは、固形描画材組成物において、１０重量％以下の範囲で用いられ、好ましくは、５重量％以下の範囲で用いられる。固形描画材組成物におけるオイルの割合が余りに多いときは、描画面への描画に際して、折れやすく、また、耐熱性も低下する。
【００２４】
（中空樹脂球）
本発明による固形描画材組成物は中空樹脂球を含み、これによって、その比重が１よりも小さく、かくして、水に浮くことができる。特に、本発明においては、上記中空樹脂球は２０〜７０μｍの範囲の平均粒子径と０．０３〜０．０７ｇ／ｃｍ3 の範囲の真比重を有するものが好ましく用いられる。このような中空樹脂球としては、例えば、日本フィライト株式会社製のＥＭＣ−４０等が好適に用いられる。
【００２５】
本発明による固形描画材組成物は、上述したような中空樹脂球は、固形描画材組成物の重量に基づいて、０．５〜５．０重量％、好ましくは、１．５〜３．０重量％の範囲で用いられる。固形描画材組成物における中空樹脂球の割合が余りに少ないときは、得られる固形描画材組成物が水に浮くことができない。しかし、固形描画材組成物における中空樹脂球の割合が余りに多いときは、得られる固形描画材組成物が強度において不十分となって、描画に際して崩れすく、折れやすくなる。
【００２６】
（ノニオン界面活性剤）
本発明による固形描画材組成物はノニオン界面活性剤を含む。本発明においては、上記ノニオン界面活性剤は、その７０〜１００重量％がポリオキシエチレンヒマシ油エーテル及びポリオキシエチレン硬化ヒマシ油エーテルから選ばれる少なくとも１種であることが必要であると共に、上記ノニオン界面活性剤は７．０〜１０．０の範囲のＨＬＢ値を有することが必要である。
【００２７】
本発明による固形描画材組成物は、その重量に基づいて、このようなノニオン界面活性剤を３０〜６０重量％の範囲で含むことが必要である。
【００２８】
用いるノニオン界面活性剤のＨＬＢ値が７．０よりも小さいときは、得られる固形描画材組成物にて水濡れ面に描画し難くなると共に、その描線が洗浄性に劣ることにもなる。一方、用いるノニオン界面活性剤のＨＬＢ値が１０．０よりも大きいときは、得られる固形描画材組成物にて描画面に描いた描線の湯気・水滴耐水性が劣ることとなる。特に、本発明によれば、用いるノニオン界面活性剤は、７．５〜９．７の範囲のＨＬＢ値を有するものであることが好ましい。
【００２９】
本発明による固形描画材組成物は、皮膚刺激性がないように、用いるノニオン界面活性剤のうちの７０〜１００重量％がポリオキシエチレンヒマシ油エーテル及びポリオキシエチレン硬化ヒマシ油エーテルから選ばれる少なくとも１種であることが好ましい。ポリオキシエチレンヒマシ油エーテルとポリオキシエチレン硬化ヒマシ油エーテルのなかでは、用いるワックスとの相溶性によりすぐれることから、ポリオキシエチレンヒマシ油エーテルが好ましい。
【００３０】
しかし、固形描画材組成物に基づいて、３０重量％未満の範囲であれば、上記以外のノニオン界面活性剤を用いることができる。この場合、例えば、ポリオキシエチレングリセリン脂肪酸エステルが好ましく用いられる。
【００３１】
固形描画材組成物における上記ノニオン界面活性剤の割合が３０重量％よりも少ないときは、得られる固形描画材組成物による描画面上の描線が水で拭いても消去し難い。しかし、固形描画材組成物における上記ノニオン界面活性剤の割合が６０重量％よりも多いときは、固形描画材組成物を構成するすべての成分を固体に一体化することができない。特に、本発明によれば、固形描画材組成物は、ノニオン界面活性剤を３５〜５５重量％の範囲で含むことが好ましく、特に、４０〜５５重量％の範囲で含むことが好ましい。
【００３２】
本発明による固形描画材組成物は、このように、ノニオン界面活性剤の７０〜１００重量％がポリオキシエチレンヒマシ油エーテル及びポリオキシエチレン硬化ヒマシ油エーテルから選ばれる少なくとも１種であるので、皮膚に対する刺激が小さいと共に、上記中空樹脂球を含むために、比重が１よりも小さいので、水に浮き、かくして、例えば、幼児や小児が入浴しつつ、又は水遊びしつつ、適宜の描画面、特に、プラスチック、ガラス、金属等からなる平滑で非吸収性の描画面に絵や文字を自在に描くことができ、しかも、このような描画面に描いた絵や文字は水によって拭き取って消去することができるが、しかし、湯気や水滴によっては描画面上で流れ難い描線を描くことができる。
【００３３】
本発明による固形描画材組成物は、必要に応じて、通常の固形描画材組成物において用いられる種々の添加剤を本発明による固形描画材組成物の作用効果を妨げない範囲で含んでもよい。そのような添加剤として、例えば、酸化防止剤を挙げることができる。
【００３４】
（製造方法）
本発明による固形描画材組成物は、その製造方法において特に限定されるものではないが、一例を挙げれば、ワックスと体質顔料と界面活性剤を混合、加熱して、体質顔料の分散体とし、これに着色顔料と中空樹脂球を加え、混合攪拌した後、適宜の型中に流し込み、冷却、固化させれば、本発明による固形描画材組成物を得ることができる。
【実施例】
【００３５】
以下に実施例を挙げて本発明を詳細に説明するが、本発明はそれら実施例によって何ら限定されるものではない。また、以下の実施例と比較例において、固形描画材組成物の製造に用いた原材料は以下のとおりである。
【００３６】
（ワックス）
蜜蝋：
三木化学工業株式会社製ミツロウ（融点６２℃）
ケトンワックス：
花王株式会社製カオーワックスＴ−１（融点７８℃）
硬化パーム油：
横関油脂工業株式会社製パーム極度硬化油（融点６３℃）
硬化ヒマシ油：
伊藤製油株式会社製ヒマシ硬化油（融点８８℃）
マイクロクリスタリンワックス：
日本精鑞株式会社製ハイミック１０８０（融点７６℃）
フィッシャー・トロプシュワックス：
サゾール・ワックス社製サゾールＨ−１（融点１１０℃）
【００３７】
（体質顔料）
炭酸マグネシウム：
神島化学工業株式会社製炭酸マグネシウム金星
（着色顔料）
青色顔料：
Ｃ．Ｉ．ピグメント  ブルー２９
【００３８】
界面活性剤：
ポリオキシエチレンヒマシ油エーテル１：青木油脂工業株式会社製ＢＬＡＵＮＯＮ  ＢＲ−４１０、ＥＯ（エチレンオキシド）モル数１０、ＨＬＢ値６．４
ポリオキシエチレンヒマシ油エーテル２：青木油脂工業株式会社製ＢＬＡＵＮＯＮ  ＢＲ−４１３５、ＥＯ（エチレンオキシド）モル数１３．５、ＨＬＢ値７．８
ポリオキシエチレンヒマシ油エーテル３：青木油脂工業株式会社製ＢＬＡＵＮＯＮ  ＢＲ−４１７、ＥＯ（エチレンオキシド）モル数１７、ＨＬＢ値８．７
ポリオキシエチレンヒマシ油エーテル４：青木油脂工業株式会社製ＢＬＡＵＮＯＮ  ＢＲ−４２０、ＥＯ（エチレンオキシド）モル数２０、ＨＬＢ値９．７
ポリオキシエチレンヒマシ油エーテル５：青木油脂工業株式会社製ＢＬＡＵＮＯＮ  ＢＲ−４２５、ＥＯ（エチレンオキシド）モル数２５、ＨＬＢ値１０．９
ポリオキシエチレン硬化ヒマシ油エーテル：青木油脂工業株式会社製ＢＬＡＵＮＯＮ  ＣＷ−１０、ＥＯ（エチレンオキシド）モル数１０、ＨＬＢ値６．４
ポリオキシエチレングリセリン脂肪酸エステル：ミヨシ油脂株式会社製Ｍファインオイル  ＩＳＧ−８Ｍ、ＥＯ（エチレンオキシド）モル数８、ＨＬＢ値１２．９
ポリオキシエチレンアルキルエーテル：日油株式会社製ノニオンＥ−２０５（ポリオキシエチレンオレイルエーテル）、ＥＯ（エチレンオキシド）モル数５、ＨＬＢ値９．０
【００３９】
中空樹脂球：
日本フィライト株式会社製中空微小樹脂粒子ＥＭＣ−４０、平均粒子径３５〜５５μｍ、真比重０．１６
【００４０】
実施例１
表１に示す成分を用いて下記の方法によって固形描画材組成物を製造した。即ち、ワックスと体質顔料と界面活性剤を混合し、１００℃に加熱し、体質顔料の分散体を得た。次いで、この分散体に着色顔料と中空樹脂球を加え、混合攪拌した後、型中に流し込み、冷却、固化させて、直径１１ｍｍ、長さ３５ｍｍの円筒状の固形描画材組成物を得た。
【００４１】
このようにして得られた固形描画材組成物の特性を下記のようにして調べた。また、上記固形描画材組成物による描線の特性を下記のようにして調べた。尚、以下において、評価が△印である固形描画材組成物は、実用性において当初のクレームに支障はないものである。
【００４２】
（固形描画材組成物におけるワックスとノニオン界面活性剤との相溶性）
得られた固形描画材組成物の表面に界面活性剤の滲み出しがないかどうかを目視にて調べ、また、固形描画材組成物の表面に指で触れてみて調べた。評価は以下によった。
○：滲み出しなし
△：僅かに滲み出しあり
×：滲み出しあり
【００４３】
（固形描画材組成物の皮膚刺激性）
用いた界面活性剤の皮膚刺激性の有無を「化学物質等安全データシート」（ＭＳＤＳ）によって調べた。評価は以下によった。
○：皮膚刺激性が小さいと記載されている
×：皮膚刺激性が大きいと記載されている
【００４４】
（水濡れ面描画性）
水滴の付いたメラミン樹脂板の表面に上記固形描画材組成物を用いて線を描き、その際、容易に線を描くことができたかどうか、また、色の付き具合はどうかを調べた。
○：容易に線を描くことができ、色の付き具合もよい
△：描いた線の色がやや薄い
×：線を描くことが殆どできない
【００４５】
（描線の湯気・水滴耐水性）
水滴の付いたメラミン樹脂板の表面に上記固形描画材組成物を用いて線を描き、そのメラミン樹脂板を温度３５〜４０℃の湯に静かに漬けた後、取り出して、描線がどの程度、落ちたかを調べた。
○：描線は殆ど落ちない
△：描線は僅かに落ちる
×：描線は殆ど落ちる
【００４６】
(描線の水洗浄性)
水滴の付いたメラミン樹脂板の表面に上記固形描画材組成物を用いて線を描き、そのメラミン樹脂板上の描線に温度３５〜４０℃の湯をシャワーして、描線がどの程度、流れ落ちたかを調べた。
○：描線はほぼ全て流れ落ちる
△：描線は僅かに残る
×：描線は殆ど流れ落ちない
【００４７】
（描線の水拭き取り性）
水滴の付いたメラミン樹脂板の表面に上記固形描画材組成物を用いて線を描き、そのメラミン樹脂板上の描線を水を含ませたスポンジで擦って、描線がどの程度、落ちたかを調べた。
○：描線はほぼ全て落ちる
△：描線は僅かに残る
×：描線は殆ど落ちない
【００４８】
（固形描画材組成物の水浮き性）
○：固形描画材組成物は水に浮いた
×：固形描画材組成物は水に沈んだ
【００４９】
（固形描画材組成物の強度）
固形描画材組成物を３７℃の湯に３時間漬けた後、プッシュブルスタンドを用いて曲げ強度を測定した。
○：曲げ強度が１２００ｇｆ以上
△：曲げ強度が５００ｇｆ以上、１２００ｇｆ未満
×：５００ｇｆ未満
【００５０】
【表１】
2018039877.tif 000002
【００５１】
【表２】
2018039877.tif 000003
【００５２】
【表３】
2018039877.tif 000004
【００５３】
実施例１〜９に示すように、本発明に従って、それぞれ所定量の中空樹脂球と共に、所定のＨＬＢ値を有するノニオン界面活性剤としてポリオキシエチレンヒマシ油エーテル及び／又はポリオキシエチレン硬化ヒマシ油エーテル（と、ポリオキシエチレングリセリン脂肪酸エステル）を含む固形描画材組成物は、皮膚刺激性がなく、水に浮くと共に、水に濡れたメラミン樹脂板面上に容易に描画することができ、しかも、樹脂板面への色の付き具合も良好であった。
【００５４】
また、上記濡れたメラミン樹脂板面上の描線は、湯気・水滴耐水性を有すると共に、水洗浄性と水拭き取り性にすぐれている。更に、十分な強度をも有する。
【００５５】
これに対して、比較例１による固形描画材組成物は、界面活性剤としてポリオキシエチレンアルキルエーテルを含むので、皮膚刺激性を有するものであった。
【００５６】
比較例２による固形描画材組成物は、界面活性剤としてポリオキシエチレンヒマシ油エーテルを含むものの、そのＨＬＢ値が低すぎる結果、親油性が強すぎて、濡れ面描画性に劣り、その描線は水洗浄性に劣るものであった。
【００５７】
比較例３による固形描画材組成物は、界面活性剤としてポリオキシエチレンヒマシ油エーテルを含むものの、比較例２による固形描画材組成物と反対に、そのＨＬＢ値が高すぎる結果、親水性が強すぎて、湯気・水滴耐水性に劣るものであった。
【００５８】
比較例４による固形描画材組成物は、界面活性剤としてポリオキシエチレンヒマシ油エーテルを含むものの、その量が多すぎて、その他の成分との相溶性に劣り、また、ワックス量が少なくなって、各成分を一体にまとめることが困難となり、強度も低く、固形描画材組成物として、実用に耐えないものであった。
【００５９】
比較例５による固形描画材組成物は、比較例４による固形描画材組成物と反対に、界面活性剤としてポリオキシエチレンヒマシ油エーテルを含むものの、その量が少なすぎ、また、ワックス量が過多となって、描線は水濡れ面描画性と水拭き取り性に劣るものであった。
【００６０】
比較例６と比較例７による固形描画材組成物は、ワックスとして、それぞれれマイクロクリスタリンワックスとフィッシャー・トロプシュワックスを過多に含むので、ノニオン界面活性剤との相溶性が悪く、固形描画材組成物を構成する成分を一体にまとめることができなかった。
【００６１】
比較例８による固形描画材組成物は、中空樹脂球の含量が少ないために、また、比較例９による固形描画材組成物は、中空樹脂球を含まないために、いずれも、水浮き性がなかった、
【００６２】
比較例１０による固形描画材組成物は、ノニオン界面活性剤の含有量が少なすぎる結果、水洗浄性において劣るものであった。